(57)【特許請求の範囲】
【請求項１】
隣接する２本の柱それぞれの上端面に、鉄骨からなる梁本体の上面に屋根パネル固定用の長尺材を載せ一体化した屋根用梁であって長手方向に隣接する２本の梁のそれぞれの端面から水平に突出させた接合部材の下面を載置するとともに、２つの接合部材に跨がって接合板を載置し、接合部材、接合板両者を貫通する接合金具によって両者を柱の上端に固定することを特徴とする柱・梁接合構造。
【発明の詳細な説明】
【０００１】
【発明の属する技術分野】
本発明は、屋根用梁、柱・梁接合構造に関する。
【０００２】
【従来の技術】
従来、断熱パネル等を固定し支持する梁又はトラスは木製のものが多かった。木製の梁であれば、任意の位置にパネルを固定するためのネジ釘を打てるので設計や施工面で有利であった。
【０００３】
また、柱と梁の接合構造として、基本的に（１）柱の上に梁を載せる梁勝ちと（２）柱の横で梁を支える柱勝ちの２種類の接合構造がある。
【０００４】
【発明が解決しようとする課題】
しかし、近年、木製で且つ大断面の梁はコストが高く、また、得られにくくなった。また、木製の梁は反りや曲がりが生じ易い。
【０００５】
また、柱と梁が木製の場合、上記（１）梁勝ちの問題点として
梁成は梁の支持間隔等により変化するため、梁の上端の位置が変化してしまう。この為上部の構造物や屋根の設計も変更しなればならない。あるいは梁成に対応して柱長を変える事も考えられるが、柱の部品、種類が増える。
上記（２）柱勝ちの問題点として
梁の受ける荷重をボルトで柱に伝えるが、柱が木質であるので、局部的な荷重に弱く、ボルトが沈んでしまい、十分な耐力が得られにくい。
【０００６】
本発明の課題は、木製と鋼製とを一体化した梁とすることにより、大断面の梁が得られ、反りや曲がりのない屋根用梁を得ることにある。
【０００７】
また、本発明の課題は、柱・梁の接合構造において、接合部材を用いることにより、柱・梁接合部に高い接合強度と剛性を確保し、梁成が変化しても上部の構造物や屋根の設計変更、あるいは柱の部品、種類増が少ない柱・梁の接合構造を得ることにある。
【０００８】
さらに、上記柱・梁の接合構造において、隣接する２本の柱及び梁間を併せて接合し、梁・梁間の通り精度を確保できる柱・梁接合構造を得ることにある。
【０００９】
【課題を解決するための手段】
本発明は、隣接する２本の柱それぞれの上端面に、鉄骨からなる梁本体の上面に屋根パネル固定用の長尺材を載せ一体化した屋根用梁であって長手方向に隣接する２本の梁のそれぞれの端面から水平に突出させた接合部材の下面を載置するとともに、２つの接合部材に跨がって接合板を載置し、接合部材、接合板両者を貫通する接合金具によって両者を柱の上端に固定することを特徴とする柱・梁接合構造である。
【００１２】
（作用）
本発明によれば、屋根用梁として、鉄骨からなる梁本体の上面に屋根パネル固定用の長尺材を載せ一体化したので、木製大断面の梁に比べて反りや曲がりが少なく、低コスト・高精度の梁が得られる。
【００１３】
本発明によれば、柱・梁接合構造として、柱の上端面に、梁の端面から水平に突出させた接合部材の下面を載置して固定する構造であるので、梁成が変化しても梁上端に対する接合部材の相対的な位置を一定にしておけば、梁上端の位置も一定になり上部構造物や屋根の設計変更、或いは柱の部品、種類等の増加が少ない。
また、梁の荷重は接合部材を介して柱上端面に伝えられ、柱の軸力で支えるので、十分な耐力が得られる。
【００１４】
本発明によれば、隣接する２本の柱それぞれの上端面に、長手方向に隣接する２本の梁それぞれの端面から水平に突出させた接合部材の下面を載置するとともに、２つの接合部材に跨がって接合板を載置し、接合部材、接合板両者を貫通する接合金具によって両者を柱の上端に固定するので、梁・梁間の接合と共に柱・柱間の接合が同時に行える。
また、各柱の上端面に設けられた接合部材として、例えばボルト等を複数本用いる事により梁の通り精度を確保することができる。
【００１５】
【発明の実施の形態】
図１（イ）は本発明の屋根用梁（中間梁）と接合部材及び小屋柱上端部と接合金具を示す斜視図、（ロ）は屋根用梁（中間梁）のＡ−Ａ線図、（ハ）は屋根用梁（中間梁）のＢ−Ｂ線図である。図２（イ）は本発明の屋根用梁（棟梁）と接合部材及び小屋柱上端部と接合金具を示す斜視図、（ロ）は屋根用梁（棟梁）のＣ−Ｃ線図、（ハ）は屋根用梁（棟梁）のＤ−Ｄ線図である。図３は木製梁用接合部材の斜視図であり、図４（イ）は梁・梁接合板、（ロ）は隣接する梁・梁（柱・柱）間を梁・梁接合板で接合している平面図、（ハ）は隣接する梁・梁（柱・柱）間を梁・梁接合板で接合しているＥ−Ｅ線図である。
【００１６】
（実施例１）（図１）
図１において１Ａは本発明の屋根用梁（中間梁）であり、軽量Ｈ型鋼１１Ａ（高さ１５０ｍｍ，幅１００ｍｍ，ウエッブ厚３．２ｍｍ，フランジ厚４．５ｍｍ）及び中間梁用屋根笠木（木製）１２とを５６ｃｍ間隔でボルト１４を固定し一体化したものである。軽量Ｈ型鋼１１Ａ端面にエンドプレート（板厚６ｍｍ）１６Ａを溶接し、さらに断面略Ｌ字状でボルト孔１７を２個有するリブプレート１５２Ａ（板厚６ｍｍ）を溶接して接合部材１５Ａとなし、木製の小屋柱２０の柱頭には２個のパイプ付きボルト２１が取り付けられ、接合部材１５Ａのボルト孔１７に挿通され接合される。尚２２はパイプナット孔である。
【００１７】
図１（ハ）において、中間梁用屋根笠木１２の上に断熱パネル３０がネジ釘３１により固定され、その上に防水シート３２及び瓦３３が載せられれて屋根が完成する。尚１９は防火被覆材（火山性ガラス質複層板）であり、防火被覆材１９と軽量Ｈ型鋼１１Ａとのなす空間４０Ａは電気配線等の収納スペースとして利用することができ、又、小屋裏を住空間として利用することができる。尚３４は合板パッキンであり、軽量Ｈ型鋼１１Ａと防火被覆材１９との間を接合する。
【００１８】
（実施例２）（図２）
図２において１Ｂは本発明の屋根用梁（棟梁）であり、軽量Ｈ型鋼１１Ｂ（高さ２００ｍｍ，幅１００ｍｍ，ウエッブ厚３．２ｍｍ，フランジ厚４．５ｍｍ）及び屋根棟笠木（木製）１３とを５６ｃｍ間隔でボルト１４を固定し一体化したものである。軽量Ｈ型鋼１１Ｂ端面にエンドプレート（板厚６ｍｍ）１６Ｂを溶接し、さらに断面略Ｌ字状でボルト孔１７を２個有するリブプレート１５２Ｂ（板厚６ｍｍ）を溶接して接合部材１５Ｂとなし、木製の小屋柱２０の柱頭には２個のパイプ付きボルト２１が取り付けられ、接合部材１５Ｂのボルト孔１７に挿通され接合される。
【００１９】
図２（ハ）において、１８は屋根パネル丁番用堀込みであり、１９は防火被覆材（火山性ガラス質複層板）であり、実施例１と同様に空間４０Ｂは電気配線等の収納スペースとして利用することができ、又、小屋裏を住空間として利用することができる。
【００２０】
上記実施例１、２によれば、以下の作用がある。
（１）接合部材１５Ａ，１５Ｂは軽量Ｈ型鋼１１Ａ，１１Ｂにエンドプレート１６Ａ，１６Ｂを溶接し、リブプレート１５２Ａ，１５２Ｂを溶接してなるものであるから、梁成に応じてエンドプレート１６Ａ，１６Ｂとリブプレート１５２Ａ，１５２Ｂとの溶接位置を調節することにより、梁上端に対する接合部材１５Ａ，１５Ｂの相対的な位置を一定に保つことができ、梁上端の位置も一定になり上部構造物や屋根の設計変更、或いは柱の部品、種類等の増加がない。
（２）接合部材１５Ａ，１５Ｂは木製の小屋柱２０の柱頭に取り付けられた２個のパイプ付きボルト２１を接合部材１５Ｂのボルト孔１７に挿通され接合される。即ち、梁の荷重は接合部材１５Ａ，１５Ｂを介して柱２０上端面に伝えられ、柱の軸力で支えるので、十分な耐力が得られる。
（３）中間梁１Ａ，棟梁１Ｂの軽量Ｈ型鋼１１Ａ，１１Ｂと防火被覆材１９との間にできる空間４０Ａ，４０Ｂは、電気配線等の収納スペースとして利用することができ、又、小屋裏を住空間として利用することができる。
【００２１】
（実施例３）（図３）
図３は木製梁用接合部材１５Ｃの斜視図であり、（イ）は木製梁受け側から見た斜視図、（ロ）は柱受け側から見た斜視図である。１５１は木製梁受け部、１５２は柱受け部、１５３はエンドプレート部、１５４，１５５はそれぞれボルト孔である。木製梁受け部１５１及び柱受け部１５２は、エンドプレート部１５３に溶接して取り付けられ、実施例１と同様に、溶接位置を調節することにより、梁上端に対する接合部材１５Ｃの相対的な位置を一定に保つことができ、梁上端の位置も一定になり上部構造物や屋根の設計変更、或いは柱の部品、種類等の増加がない。
【００２２】
（実施例４）（図４）
図４（イ）は接合板５０を示し、５１はボルト孔である。接合板５０は（ロ）、（ハ）に示す様に隣接する梁１３・梁１３（柱２０・柱２０）間を接合板５０で接合部材１５と併せて接合金具（パイプ付きボルト２１）で接合するものである。
【００２３】
実施例４の作用としては、
（１）隣接する柱２０の接合金具２１と接合部材１５とを接合板５０で同時に載置し固定するので、梁・梁間の接合と共に柱・柱間の接合が同時に行える。
（２）各梁（各柱）に対して２本づつのパイプ付きボルト２１を使用することで、梁の通り精度が確保できる。
【００２４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の実施において、本発明の梁・柱接合構造は、屋根ユニットの構成梁に関して採用するものに限らず、建物ユニットの構成梁に関しても採用できる。
【００２５】
【発明の効果】
本発明によれば、屋根用梁として、鉄骨からなる梁本体の上面に屋根パネル固定用の長尺材を載せ一体化したので、木製大断面の梁に比べて低コスト・高精度の梁が得られる。
【００２６】
本発明によれば、柱・梁接合構造として、柱の上端面に、梁の端面から水平に突出させた接合部材の下面を載置して固定する構造であるので、梁成が変化しても梁上端に対する接合部材の相対的な位置を一定にしておけば、梁上端の位置も一定になり上部構造物や屋根の設計変更、或いは柱の部品、種類等の増加が少ない。
また、梁の荷重は接合部材を介して柱上端面に伝えられ、柱の軸力で支えるので、十分な耐力が得られる。
【００２７】
本発明によれば、隣接する２本の柱それぞれの上端面に、長手方向に隣接する２本の梁それぞれの端面から水平に突出させた接合部材の下面を載置するとともに、２つの接合部材に跨がって接合板を載置し、接合部材、接合板両者を貫通する接合金具によって両者を柱の上端に固定するので、梁・梁間の接合と共に柱・柱間の接合が同時に行える。
また、各柱の上端面に設けられた接合部材として、例えばボルト等を複数本用いる事により梁の通り精度を確保することができる。
【図面の簡単な説明】
【図１】図１（イ）は本発明の屋根用梁（中間梁）と接合部材及び小屋柱上端部と接合金具を示す斜視図、（ロ）は屋根用梁（中間梁）のＡ−Ａ線図、（ハ）は屋根用梁（中間梁）のＢ−Ｂ線図である。
【図２】図２（イ）は本発明の屋根用梁（棟梁）と接合部材及び小屋柱上端部と接合金具を示す斜視図、（ロ）は屋根用梁（棟梁）のＣ−Ｃ線図、（ハ）は屋根用梁（棟梁）のＤ−Ｄ線図である。
【図３】図３は木製梁用接合部材の斜視図であり、（イ）は木製梁受け側から見た斜視図、（ロ）は柱受け側から見た斜視図である。
【図４】図４（イ）は接合板、（ロ）は隣接する梁・梁（柱・柱）間を接合板で接合している平面図、（ハ）は隣接する梁・梁（柱・柱）間を接合板で接合しているＥ−Ｅ線図である。
【符号の説明】
１Ａ，１Ｂ                屋根用梁
１１Ａ，１１Ｂ            軽量Ｈ型鋼
１２，１３                屋根笠木
１５Ａ，１５Ｂ，１５Ｃ    接合部材
１９                      防火性被覆材
２０                      柱
２１                      接合金具（パイプ付きボルト）
５０                      接合板
【図１】
0003774328.tif 000002
【図２】
0003774328.tif 000003
【図３】
0003774328.tif 000004
【図４】
0003774328.tif 000005